【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
金属線からなる、心臓ペースメーカのリード電極留置用のスタイレットであって、手元側と先端側の間に複数個の湾曲部を有し、互いに交差する異なる平面内のそれぞれに湾曲部が存在することを特徴とするスタイレット。
【請求項２】
手元側に形成された湾曲部よりも小さい曲率半径の湾曲部を先端側に有することを特徴とする請求項１記載のスタイレット。
【請求項３】
体腔の形状に合わせた第ｎ湾曲部（但し、ｎは１以上の整数である。）と、
前記第ｎ湾曲部よりも先端側に形成された第（ｎ＋１）湾曲部とを有し、
前記第ｎ湾曲部が存在する平面と前記第（ｎ＋１）湾曲部が存在する平面とが交差することを特徴とする請求項１又は請求項２記載のスタイレット。
【請求項４】
体腔の形状に合わせた第一湾曲部と、
前記第一湾曲部よりも先端側に形成された第二湾曲部とを有し、
前記第一湾曲部が存在する平面と前記第二湾曲部が存在する平面とが交差することを特徴とする請求項３記載のスタイレット。
【請求項５】
２箇所の湾曲部を有するスタイレットであって、
手元側に形成され、曲率半径が８０．５〜１２０．８ｍｍである第一湾曲部と、
前記第一湾曲部よりも先端側に形成され、曲率半径が１２．６〜１８．８ｍｍであり、前記第一湾曲部と同じ方向に曲がるように形成された第二湾曲部とを有し、
前記第一湾曲部が存在する平面と前記第二湾曲部が存在する平面との交線を挟んで、前記第一湾曲部が存在する平面と前記第二湾曲部が存在する平面とのなす角度を反時計回りに測定した交差角度が２５０±２０°である
ことを特徴とする請求項１ないし請求項４のいずれか１項に記載のスタイレット。
【請求項６】
３箇所の湾曲部を有するスタイレットであって、
手元側に形成され、曲率半径が９０．９〜１３６．４ｍｍである第一湾曲部と、
前記第一湾曲部よりも先端側に形成され、曲率半径が２４．７〜３７．１ｍｍであり、前記第一湾曲部と同じ方向に曲がるように形成された第二湾曲部と、
前記第二湾曲部よりも先端側に形成され、曲率半径が１１．５〜１７．３ｍｍであり、前記第二湾曲部と逆方向に曲がるように形成された第三湾曲部とを有し、
前記第一湾曲部が存在する平面と前記第二湾曲部が存在する平面との交線を挟んで、前記第一湾曲部が存在する平面と前記第二湾曲部が存在する平面とのなす角度を反時計回りに測定した交差角度が０±２０°であり、
前記第二湾曲部が存在する平面と前記第三湾曲部が存在する平面との交線を挟んで、前記第二湾曲部が存在する平面と前記第三湾曲部が存在する平面とのなす角度を反時計回りに測定した交差角度が２３０±２０°である
ことを特徴とする請求項１ないし請求項３のいずれか１項に記載のスタイレット。
【請求項７】
４箇所の湾曲部を有するスタイレットであって、
手元側に形成され、曲率半径が６６．４〜９９．６ｍｍである第一湾曲部と、
前記第一湾曲部よりも先端側に形成され、曲率半径が６６．７〜１００．０ｍｍであり、前記第一湾曲部と同じ方向に曲がるように形成された第二湾曲部と、
前記第二湾曲部よりも先端側に形成され、曲率半径が１７．４〜２６．２ｍｍであり、前記第二湾曲部と同じ方向に曲がるように形成された第三湾曲部と、
前記第三湾曲部よりも先端側に形成され、曲率半径が６．６〜９．９ｍｍであり、前記第三湾曲部と逆方向に曲がるように形成された第四湾曲部とを有し、
前記第一湾曲部が存在する平面と前記第二湾曲部が存在する平面との交線を挟んで、前記第一湾曲部が存在する平面と前記第二湾曲部が存在する平面とのなす角度を反時計回りに測定した交差角度が０±２０°であり、
前記第二湾曲部が存在する平面と前記第三湾曲部が存在する平面との交線を挟んで、前記第二湾曲部が存在する平面と前記第三湾曲部が存在する平面とのなす角度を反時計回りに測定した交差角度が２２０±２０°であり、
前記第三湾曲部が存在する平面と前記第四湾曲部が存在する平面との交線を挟んで、前記第三湾曲部が存在する平面と前記第四湾曲部が存在する平面とのなす角度を反時計回りに測定した交差角度が３３０±２０°である
ことを特徴とする請求項１ないし請求項３のいずれか１項に記載のスタイレット。
【請求項８】
４箇所の湾曲部を有するスタイレットであって、
手元側に形成され、曲率半径が４２．７〜６４．０ｍｍである第一湾曲部と、
前記第一湾曲部よりも先端側に形成され、曲率半径が４６．４〜６９．６ｍｍであり、前記第一湾曲部と逆方向に曲がるように形成された第二湾曲部と、
前記第二湾曲部よりも先端側に形成され、曲率半径が１８．３〜２７．４ｍｍであり、前記第二湾曲部と同じ方向に曲がるように形成された第三湾曲部と、
前記第三湾曲部よりも先端側に形成され、曲率半径が６．３〜９．４ｍｍであり、前記第三湾曲部と逆方向に曲がるように形成された第四湾曲部とを有し、
前記第一湾曲部が存在する平面と前記第二湾曲部が存在する平面との交線を挟んで、前記第一湾曲部が存在する平面と前記第二湾曲部が存在する平面とのなす角度を反時計回りに測定した交差角度が１５０±２０°であり、
前記第二湾曲部が存在する平面と前記第三湾曲部が存在する平面との交線を挟んで、前記第二湾曲部が存在する平面と前記第三湾曲部が存在する平面とのなす角度を反時計回りに測定した交差角度が２３０±２０°であり、
前記第三湾曲部が存在する平面と前記第四湾曲部が存在する平面との交線を挟んで、前記第三湾曲部が存在する平面と前記第四湾曲部が存在する平面とのなす角度を反時計回りに測定した交差角度が３２０±２０°である
ことを特徴とする請求項１ないし請求項４のいずれか１項に記載のスタイレット。
【請求項９】
３箇所の湾曲部を有するスタイレットであって、
手元側に形成され、曲率半径が１４１．１〜２１１．６ｍｍである第一湾曲部と、
前記第一湾曲部よりも先端側に形成され、曲率半径が１７．３〜２６．０ｍｍであり、前記第一湾曲部と同じ方向に曲がるように形成された第二湾曲部と、
前記第二湾曲部よりも先端側に形成され、曲率半径が４．６〜６．９ｍｍであり、前記第二湾曲部と同じ方向に曲がるように形成された第三湾曲部とを有し、
前記第一湾曲部が存在する平面と前記第二湾曲部が存在する平面との交線を挟んで、前記第一湾曲部が存在する平面と前記第二湾曲部が存在する平面とのなす角度を反時計回りに測定した交差角度が１６０±２０°であり、
前記第二湾曲部が存在する平面と前記第三湾曲部が存在する平面との交線を挟んで、前記第二湾曲部が存在する平面と前記第三湾曲部が存在する平面とのなす角度を反時計回りに測定した交差角度が１６０±２０°である
ことを特徴とする請求項１ないし請求項４のいずれか１項に記載のスタイレット。
【請求項１０】
４箇所の湾曲部を有するスタイレットであって、
手元側に形成され、曲率半径が１１４．７〜１７２．０ｍｍである第一湾曲部と、
前記第一湾曲部よりも先端側に形成され、曲率半径が２７．２〜４０．８ｍｍであり、前記第一湾曲部と同じ方向に曲がるように形成された第二湾曲部と、
前記第二湾曲部よりも先端側に形成され、曲率半径が１８．１〜２７．２ｍｍであり、前記第二湾曲部と逆方向に曲がるように形成された第三湾曲部と、
前記第三湾曲部よりも先端側に形成され、曲率半径が４．６〜６．９ｍｍであり、前記第三湾曲部と同じ方向に曲がるように形成された第四湾曲部とを有し、
前記第一湾曲部が存在する平面と前記第二湾曲部が存在する平面との交線を挟んで、前記第一湾曲部が存在する平面と前記第二湾曲部が存在する平面とのなす角度を反時計回りに測定した交差角度が０±２０°であり、
前記第二湾曲部が存在する平面と前記第三湾曲部が存在する平面との交線を挟んで、前記第二湾曲部が存在する平面と前記第三湾曲部が存在する平面とのなす角度を反時計回りに測定した交差角度が１４０±２０°であり、
前記第三湾曲部が存在する平面と前記第四湾曲部が存在する平面との交線を挟んで、前記第三湾曲部が存在する平面と前記第四湾曲部が存在する平面とのなす角度を反時計回りに測定した交差角度が１９０±２０°である
ことを特徴とする請求項１ないし請求項３のいずれか１項に記載のスタイレット。
【請求項１１】
２箇所の湾曲部を有するスタイレットであって、
手元側に形成され、曲率半径が９３．９〜１４０．８ｍｍである第一湾曲部と、
前記第一湾曲部よりも先端側に形成され、曲率半径が１９．９〜２９．８ｍｍであり、前記第一湾曲部と同じ方向に曲がるように形成された第二湾曲部とを有し、
前記第一湾曲部が存在する平面と前記第二湾曲部が存在する平面との交線を挟んで、前記第一湾曲部が存在する平面と前記第二湾曲部が存在する平面とのなす角度を反時計回りに測定した交差角度が１５０±２０°である
ことを特徴とする請求項１ないし請求項４のいずれか１項に記載のスタイレット。
【請求項１２】
３箇所の湾曲部を有するスタイレットであって、
手元側に形成され、曲率半径が９６．０〜１４４．０ｍｍである第一湾曲部と、
前記第一湾曲部よりも先端側に形成され、曲率半径が３６．８〜５５．２ｍｍであり、前記第一湾曲部と同じ方向に曲がるように形成された第二湾曲部と、
前記第二湾曲部よりも先端側に形成され、曲率半径が１６．８〜２５．２ｍｍであり、前記第二湾曲部と逆方向に曲がるように形成された第三湾曲部とを有し、
前記第一湾曲部が存在する平面と前記第二湾曲部が存在する平面との交線を挟んで、前記第一湾曲部が存在する平面と前記第二湾曲部が存在する平面とのなす角度を反時計回りに測定した交差角度が０±２０°であり、
前記第二湾曲部が存在する平面と前記第三湾曲部が存在する平面との交線を挟んで、前記第二湾曲部が存在する平面と前記第三湾曲部が存在する平面とのなす角度を反時計回りに測定した交差角度が１４０±２０°である
ことを特徴とする請求項１ないし請求項３のいずれか１項に記載のスタイレット。
【請求項１３】
線径０．１〜１ｍｍの金属線からなる
ことを特徴とする請求項１ないし請求項１２のいずれか１項に記載のスタイレット。
【手続補正２】
【補正対象書類名】明細書
【補正対象項目名】発明の名称
【補正方法】変更
【補正の内容】
【発明の名称】スタイレット
【手続補正３】
【補正対象書類名】明細書
【補正対象項目名】０００４
【補正方法】変更
【補正の内容】
【０００４】
本発明者らは、上記の課題を解決すべく鋭意研究を重ねた結果、線状弾性体からなり、先端を生体器官の決められた目的部位に到達せしめる体腔内挿入医療機器において、弾性線状体の手元側と先端側の間に、体腔切開部又は体腔穿刺部から決められた目的部位までの体腔の形状に合わせた湾曲部を三次元的に形成することにより、体腔内挿入医療機器に自己方向制御性が与えられ、体腔内挿入医療機器の手元側で回転によりトルクを伝達することなく、単に手元側で押し込むだけで、体腔内挿入医療機器の先端は、体腔内の決められた経路を進み、生体器官の決められた目的部位に到達することを見いだし、この知見に基づいて本発明を完成するに至った。
すなわち、本発明は、
（１）金属線からなる、心臓ペースメーカのリード電極留置用のスタイレットであって、手元側と先端側の間に複数個の湾曲部を有し、互いに交差する異なる平面内のそれぞれに湾曲部が存在することを特徴とするスタイレット、
（２）手元側に形成された湾曲部よりも小さい曲率半径の湾曲部を先端側に有することを特徴とする（１）記載のスタイレット、
（３）体腔の形状に合わせた第ｎ湾曲部（但し、ｎは１以上の整数である。）と、前記第ｎ湾曲部よりも先端側に形成された第（ｎ＋１）湾曲部とを有し、前記第ｎ湾曲部が存在する平面と前記第（ｎ＋１）湾曲部が存在する平面とが交差することを特徴とする（１）又は（２）記載のスタイレット、
（４）体腔の形状に合わせた第一湾曲部と、前記第一湾曲部よりも先端側に形成された第二湾曲部とを有し、前記第一湾曲部が存在する平面と前記第二湾曲部が存在する平面とが交差することを特徴とする（３）記載のスタイレット、
（５）２箇所の湾曲部を有するスタイレットであって、手元側に形成され、曲率半径が８０．５〜１２０．８ｍｍである第一湾曲部と、前記第一湾曲部よりも先端側に形成され、曲率半径が１２．６〜１８．８ｍｍであり、前記第一湾曲部と同じ方向に曲がるように形成された第二湾曲部とを有し、前記第一湾曲部が存在する平面と前記第二湾曲部が存在する平面との交線を挟んで、前記第一湾曲部が存在する平面と前記第二湾曲部が存在する平面とのなす角度を反時計回りに測定した交差角度が２５０±２０°であることを特徴とする（１）ないし（４）のいずれかに記載のスタイレット、
（６）３箇所の湾曲部を有するスタイレットであって、手元側に形成され、曲率半径が９０．９〜１３６．４ｍｍである第一湾曲部と、前記第一湾曲部よりも先端側に形成され、曲率半径が２４．７〜３７．１ｍｍであり、前記第一湾曲部と同じ方向に曲がるように形成された第二湾曲部と、前記第二湾曲部よりも先端側に形成され、曲率半径が１１．５〜１７．３ｍｍであり、前記第二湾曲部と逆方向に曲がるように形成された第三湾曲部とを有し、前記第一湾曲部が存在する平面と前記第二湾曲部が存在する平面との交線を挟んで、前記第一湾曲部が存在する平面と前記第二湾曲部が存在する平面とのなす角度を反時計回りに測定した交差角度が０±２０°であり、前記第二湾曲部が存在する平面と前記第三湾曲部が存在する平面との交線を挟んで、前記第二湾曲部が存在する平面と前記第三湾曲部が存在する平面とのなす角度を反時計回りに測定した交差角度が２３０±２０°であることを特徴とする（１）ないし（３）のいずれかに記載のスタイレット、
（７）４箇所の湾曲部を有するスタイレットであって、手元側に形成され、曲率半径が６６．４〜９９．６ｍｍである第一湾曲部と、前記第一湾曲部よりも先端側に形成され、曲率半径が６６．７〜１００．０ｍｍであり、前記第一湾曲部と同じ方向に曲がるように形成された第二湾曲部と、前記第二湾曲部よりも先端側に形成され、曲率半径が１７．４〜２６．２ｍｍであり、前記第二湾曲部と同じ方向に曲がるように形成された第三湾曲部と、前記第三湾曲部よりも先端側に形成され、曲率半径が６．６〜９．９ｍｍであり、前記第三湾曲部と逆方向に曲がるように形成された第四湾曲部とを有し、前記第一湾曲部が存在する平面と前記第二湾曲部が存在する平面との交線を挟んで、前記第一湾曲部が存在する平面と前記第二湾曲部が存在する平面とのなす角度を反時計回りに測定した交差角度が０±２０°であり、前記第二湾曲部が存在する平面と前記第三湾曲部が存在する平面との交線を挟んで、前記第二湾曲部が存在する平面と前記第三湾曲部が存在する平面とのなす角度を反時計回りに測定した交差角度が２２０±２０°であり、前記第三湾曲部が存在する平面と前記第四湾曲部が存在する平面との交線を挟んで、前記第三湾曲部が存在する平面と前記第四湾曲部が存在する平面とのなす角度を反時計回りに測定した交差角度が３３０±２０°であることを特徴とする（１）ないし（３）のいずれかに記載のスタイレット、
（８）４箇所の湾曲部を有するスタイレットであって、手元側に形成され、曲率半径が４２．７〜６４．０ｍｍである第一湾曲部と、前記第一湾曲部よりも先端側に形成され、曲率半径が４６．４〜６９．６ｍｍであり、前記第一湾曲部と逆方向に曲がるように形成された第二湾曲部と、前記第二湾曲部よりも先端側に形成され、曲率半径が１８．３〜２７．４ｍｍであり、前記第二湾曲部と同じ方向に曲がるように形成された第三湾曲部と、前記第三湾曲部よりも先端側に形成され、曲率半径が６．３〜９．４ｍｍであり、前記第三湾曲部と逆方向に曲がるように形成された第四湾曲部とを有し、前記第一湾曲部が存在する平面と前記第二湾曲部が存在する平面との交線を挟んで、前記第一湾曲部が存在する平面と前記第二湾曲部が存在する平面とのなす角度を反時計回りに測定した交差角度が１５０±２０°であり、前記第二湾曲部が存在する平面と前記第三湾曲部が存在する平面との交線を挟んで、前記第二湾曲部が存在する平面と前記第三湾曲部が存在する平面とのなす角度を反時計回りに測定した交差角度が２３０±２０°であり、前記第三湾曲部が存在する平面と前記第四湾曲部が存在する平面との交線を挟んで、前記第三湾曲部が存在する平面と前記第四湾曲部が存在する平面とのなす角度を反時計回りに測定した交差角度が３２０±２０°であることを特徴とする（１）ないし（４）のいずれかに記載のスタイレット、
（９）３箇所の湾曲部を有するスタイレットであって、手元側に形成され、曲率半径が１４１．１〜２１１．６ｍｍである第一湾曲部と、前記第一湾曲部よりも先端側に形成され、曲率半径が１７．３〜２６．０ｍｍであり、前記第一湾曲部と同じ方向に曲がるように形成された第二湾曲部と、前記第二湾曲部よりも先端側に形成され、曲率半径が４．６〜６．９ｍｍであり、前記第二湾曲部と同じ方向に曲がるように形成された第三湾曲部とを有し、前記第一湾曲部が存在する平面と前記第二湾曲部が存在する平面との交線を挟んで、前記第一湾曲部が存在する平面と前記第二湾曲部が存在する平面とのなす角度を反時計回りに測定した交差角度が１６０±２０°であり、前記第二湾曲部が存在する平面と前記第三湾曲部が存在する平面との交線を挟んで、前記第二湾曲部が存在する平面と前記第三湾曲部が存在する平面とのなす角度を反時計回りに測定した交差角度が１６０±２０°であることを特徴とする（１）ないし（４）のいずれかに記載のスタイレット、
（１０）４箇所の湾曲部を有するスタイレットであって、手元側に形成され、曲率半径が１１４．７〜１７２．０ｍｍである第一湾曲部と、前記第一湾曲部よりも先端側に形成され、曲率半径が２７．２〜４０．８ｍｍであり、前記第一湾曲部と同じ方向に曲がるように形成された第二湾曲部と、前記第二湾曲部よりも先端側に形成され、曲率半径が１８．１〜２７．２ｍｍであり、前記第二湾曲部と逆方向に曲がるように形成された第三湾曲部と、前記第三湾曲部よりも先端側に形成され、曲率半径が４．６〜６．９ｍｍであり、前記第三湾曲部と同じ方向に曲がるように形成された第四湾曲部とを有し、前記第一湾曲部が存在する平面と前記第二湾曲部が存在する平面との交線を挟んで、前記第一湾曲部が存在する平面と前記第二湾曲部が存在する平面とのなす角度を反時計回りに測定した交差角度が０±２０°であり、前記第二湾曲部が存在する平面と前記第三湾曲部が存在する平面との交線を挟んで、前記第二湾曲部が存在する平面と前記第三湾曲部が存在する平面とのなす角度を反時計回りに測定した交差角度が１４０±２０°であり、前記第三湾曲部が存在する平面と前記第四湾曲部が存在する平面との交線を挟んで、前記第三湾曲部が存在する平面と前記第四湾曲部が存在する平面とのなす角度を反時計回りに測定した交差角度が１９０±２０°であることを特徴とする（１）ないし（３）のいずれかに記載のスタイレット、
（１１）２箇所の湾曲部を有するスタイレットであって、手元側に形成され、曲率半径が９３．９〜１４０．８ｍｍである第一湾曲部と、前記第一湾曲部よりも先端側に形成され、曲率半径が１９．９〜２９．８ｍｍであり、前記第一湾曲部と同じ方向に曲がるように形成された第二湾曲部とを有し、前記第一湾曲部が存在する平面と前記第二湾曲部が存在する平面との交線を挟んで、前記第一湾曲部が存在する平面と前記第二湾曲部が存在する平面とのなす角度を反時計回りに測定した交差角度が１５０±２０°であることを特徴とする（１）ないし（４）のいずれかに記載のスタイレット、
（１２）３箇所の湾曲部を有するスタイレットであって、手元側に形成され、曲率半径が９６．０〜１４４．０ｍｍである第一湾曲部と、前記第一湾曲部よりも先端側に形成され、曲率半径が３６．８〜５５．２ｍｍであり、前記第一湾曲部と同じ方向に曲がるように形成された第二湾曲部と、前記第二湾曲部よりも先端側に形成され、曲率半径が１６．８〜２５．２ｍｍであり、前記第二湾曲部と逆方向に曲がるように形成された第三湾曲部とを有し、前記第一湾曲部が存在する平面と前記第二湾曲部が存在する平面との交線を挟んで、前記第一湾曲部が存在する平面と前記第二湾曲部が存在する平面とのなす角度を反時計回りに測定した交差角度が０±２０°であり、前記第二湾曲部が存在する平面と前記第三湾曲部が存在する平面との交線を挟んで、前記第二湾曲部が存在する平面と前記第三湾曲部が存在する平面とのなす角度を反時計回りに測定した交差角度が１４０±２０°であることを特徴とする（１）ないし（３）のいずれかに記載のスタイレット、
（１３）線径０．１〜１ｍｍの金属線からなることを特徴とする（１）ないし（１２）のいずれかに記載のスタイレット、
を提供するものである。
さらに、本発明の好ましい態様として、
（１４）複数個の湾曲部の曲率半径が、手元側から先端側に近づくほど小さくなる（１）ないし（４）のいずれかに記載のスタイレット、
（１５）湾曲部の曲率半径の最大値が８０ｍｍ以上であり、湾曲部の曲率半径の最小値が４０ｍｍ以下である（１）ないし（４）のいずれかに記載のスタイレット、
（１６）手元側ハンドルを有する（１）ないし（４）のいずれかに記載のスタイレット、
（１７）前記金属線の少なくとも一部が形状記憶合金からなり、該形状記憶合金部分の曲率半径が、体腔内に挿入されると小さくなる（１）ないし（４）のいずれかに記載のスタイレット、
（１８）バッハマン束を目的部位として左鎖骨下静脈より挿入される２個の湾曲部を有するスタイレットであって、全長が４４２〜６６２ｍｍであり、第一湾曲部が左カーブで、第一湾曲部と第二湾曲部の湾曲方向が同方向であり、第一湾曲部の曲率半径が８０. ５〜１２０. ８ｍｍ、第二湾曲部の曲率半径が１２. ６〜１８. ８ｍｍであり、第一湾曲部が存在する平面と第二湾曲部が存在する平面の交差角度が２５０°±２０°であり、第一湾曲部が存在する平面と先端との距離が２４. ４〜３６. ６ｍｍである（５）記載のスタイレット、
（１９）バッハマン束を目的部位として右鎖骨下静脈より挿入される３個の湾曲部を有するスタイレットであって、全長が４４２〜６６２ｍｍであり、第一湾曲部が右カーブで、第一湾曲部と第二湾曲部の湾曲方向が同方向、第二湾曲部と第三湾曲部の湾曲方向が逆方向であり、第一湾曲部の曲率半径が９０. ９〜１３６. ４ｍｍ、第二湾曲部の曲率半径が２４. ７〜３７. １ｍｍ、第三湾曲部の曲率半径が１１. ５〜１７. ３ｍｍであり、第一湾曲部が存在する平面と第二湾曲部が存在する平面の交差角度が０°±２０°、第二湾曲部が存在する平面と第三湾曲部が存在する平面の交差角度が２３０°±２０°であり、第一湾曲部が存在する平面と先端との距離が１８. ５〜２７. ８ｍｍである（６）記載のスタイレット、
（２０）セプタムを目的部位として左鎖骨下静脈より挿入される４個の湾曲部を有するスタイレットであって、全長が４９６〜７４４ｍｍであり、第一湾曲部が左カーブで、第一湾曲部と第二湾曲部の湾曲方向が同方向、第二湾曲部と第三湾曲部の湾曲方向が同方向、第三湾曲部と第四湾曲部の湾曲方向が逆方向であり、第一湾曲部の曲率半径が６６. ４〜９９. ６ｍｍ、第二湾曲部の曲率半径が６６. ７〜１００. ０ｍｍ、第三湾曲部の曲率半径が１７. ４〜２６. ２ｍｍ、第四湾曲部の曲率半径が６. ６〜９. ９ｍｍであり、第一湾曲部が存在する平面と第二湾曲部が存在する平面の交差角度が０°±２０°、第二湾曲部が存在する平面と第三湾曲部が存在する平面の交差角度が２２０°±２０°、第三湾曲部が存在する平面と第四湾曲部が存在する平面の交差角度が３３０°±２０°であり、第一湾曲部が存在する平面と先端との距離が３６. ４〜５４. ６ｍｍである（７）記載のスタイレット、
（２１）セプタムを目的部位として右鎖骨下静脈より挿入される４個の湾曲部を有するスタイレットであって、全長が４９６〜７４４ｍｍであり、第一湾曲部が右カーブで、第一湾曲部と第二湾曲部の湾曲方向が逆方向、第二湾曲部と第三湾曲部の湾曲方向が同方向、第三湾曲部と第四湾曲部の湾曲方向が逆方向であり、第一湾曲部の曲率半径が４２. ７〜６４. ０ｍｍ、第二湾曲部の曲率半径が４６. ４〜６９. ６ｍｍ、第三湾曲部の曲率半径が１８. ３〜２７. ４ｍｍ、第四湾曲部の曲率半径が６. ３〜９. ４ｍｍであり、第一湾曲部が存在する平面と第二湾曲部が存在する平面の交差角度が１５０°±２０°、第二湾曲部が存在する平面と第三湾曲部が存在する平面の交差角度が２３０°±２０°、第三湾曲部が存在する平面と第四湾曲部が存在する平面の交差角度が３２０°±２０°であり、第一湾曲部が存在する平面と先端との距離が４８. ０〜７２. ０ｍｍである（８）記載のスタイレット、
（２２）肺動脈を目的部位として左鎖骨下静脈より挿入される３個の湾曲部を有するスタイレットであって、全長が４９６〜７４４ｍｍであり、第一湾曲部が左カーブで、第一湾曲部と第二湾曲部の湾曲方向が同方向、第二湾曲部と第三湾曲部の湾曲方向が同方向であり、第一湾曲部の曲率半径が１４１. １〜２１１. ６ｍｍ、第二湾曲部の曲率半径が１７. ３〜２６. ０ｍｍ、第三湾曲部の曲率半径が４. ６〜６. ９ｍｍであり、第一湾曲部が存在する平面と第二湾曲部が存在する平面の交差角度が１６０°±２０°、第二湾曲部が存在する平面と第三湾曲部が存在する平面の交差角度が１６０°±２０°であり、第三湾曲部が、１回転半の円をえがき、先端から第三湾曲部の円の接点までの長さが１４. ８〜２２. ２ｍｍである（９）記載のスタイレット、
（２３）肺動脈を目的部位として右鎖骨下静脈より挿入される４個の湾曲部を有するスタイレットであって、全長が４９６〜７４４ｍｍであり、第一湾曲部が右カーブで、第一湾曲部と第二湾曲部の湾曲方向が同方向、第二湾曲部と第三湾曲部の湾曲方向が逆方向、第三湾曲部と第四湾曲部の湾曲方向が同方向であり、第一湾曲部の曲率半径が１１４. ７〜１７２. ０ｍｍ、第二湾曲部の曲率半径が２７. ２〜４０. ８ｍｍ、第三湾曲部の曲率半径が１８. １〜２７. ２ｍｍ、第四湾曲部の曲率半径が４. ６〜６. ９ｍｍであり、第一湾曲部が存在する平面と第二湾曲部が存在する平面の交差角度が０°±２０°、第二湾曲部が存在する平面と第三湾曲部が存在する平面の交差角度が１４０°±２０°、第三湾曲部が存在する平面と第四湾曲部が存在する平面の交差角度が１９０°±２０°であり、第四湾曲部が１回転半の円をえがき、先端から円の接点までの長さが１６. ０〜２４. ０ｍｍである（１０）記載のスタイレット、
（２４）心耳を目的部位として左鎖骨下静脈より挿入される２個の湾曲部を有するスタイレットであって、全長が４９２〜７３８ｍｍであり、第一湾曲部が左カーブで、第一湾曲部と第二湾曲部の湾曲方向が同方向であり、第一湾曲部の曲率半径が９３. ９〜１４０. ８ｍｍ、第二湾曲部の曲率半径が１９. ９〜２９. ８ｍｍであり、第一湾曲部が存在する平面と第二湾曲部が存在する平面の交差角度が１５０°±２０°であり、第一湾曲部が存在する平面と先端との距離が２０. ０〜３０. ０ｍｍである（１１）記載のスタイレット、及び、
（２５）心耳を目的部位として右鎖骨下静脈より挿入される３個の湾曲部を有するスタイレットであって、全長が４９６〜７４４ｍｍであり、第一湾曲部が右カーブで、第一湾曲部と第二湾曲部の湾曲方向が同方向、第二湾曲部と第三湾曲部の湾曲方向が逆方向であり、第一湾曲部の曲率半径が９６. ０〜１４４. ０ｍｍ、第二湾曲部の曲率半径が３６. ８〜５５. ２ｍｍ、第三湾曲部の曲率半径が１６. ８〜２５. ２ｍｍであり、第一湾曲部が存在する平面と第二湾曲部が存在する平面の交差角度が０°±２０°、第二湾曲部が存在する平面と第三湾曲部が存在する平面の交差角度が１４０°±２０°であり、第一湾曲部が存在する平面と先端との距離が２８. ９〜４３. ４ｍｍである（１２）記載のスタイレット、
を提供するものである。